(57)【要約】【課題】ポンプディスペンサ２にチューブ３５を備えることなく容器内の液体を注出することのできる液体注出容器１を提供すること。【解決手段】液体をポンプディスペンサ２に送出することを可能とするポンプディスペンサ２と詰替容器３の組み合わせを提供する。ポンプディスペンサ２と詰替容器３との間から詰替容器内に又は詰替容器に設けられたチューブ３５内に空気が流入することを防止して、ポンプディスペンサによる負圧を詰替容器内の液体に伝える。ポンプディスペンサ２の挿入突起と詰替容器の挿入口の間に密着機構を備えることにより、実現される。【選択図】図１
2015212168.tif 000002
【特許請求の範囲】
【請求項１】
ポンプディスペンサと詰替容器とを備える液体注出容器であって、
前記ポンプディスペンサは、挿入突起を備え、前記詰替容器に挿入されるチューブを有さず、
前記詰替容器は、前記挿入突起が挿入される挿入口を備え、
前記挿入突起と前記挿入口との間を空気が流通しないようにする密着機構を備えることを特徴とする、液体注出容器。
【請求項２】
前記詰替容器は、前記挿入口に連通するチューブを有することを特徴とする、請求項１に記載の液体注出容器。
【請求項３】
前記詰替容器は、体積可変であり、液体注出時に空気が流入しないことを特徴とする、請求項１又は２に記載の液体注出容器。
【請求項４】
前記挿入突起は、尖状部と、周縁のネジ止め外側部を、それぞれ備え、
前記挿入口は、易破断部を有する被覆体と、周縁のネジ止め内側部を、それぞれ備え、
前記挿入突起の尖状部を前記挿入口の易破断部に挿入した後に、前記ネジ止め外側部と前記ネジ止め内側部と係合させて前記ポンプディスペンサを前記詰替容器に固定可能であり、
前記密着機構は、前記ネジ止め内側部又は前記ネジ止め外側部に付されたパッキンであり、
前記詰替容器は、前記易破断部が破断しない状態では密封されていることを特徴とする、請求項１〜３のいずれか１項に記載の液体注出容器。
【請求項５】
前記尖状部が前記挿入突起の中央部に備えられ、
前記易破断部が前記挿入口の中央部に備えられたことを特徴とする、請求項４に記載の液体注出容器。
【請求項６】
前記パッキンが前記ネジ止め内側部の内側又は前記挿入突起の外側に付され、
前記挿入突起の尖状部が前記挿入口の易破断部に挿入される前に、前記パッキンが前記尖状部と前記ネジ止め内側部との間の空気の流通を遮断することを特徴とする、請求項４又は５に記載の液体注出容器。
【発明の詳細な説明】
【技術分野】
【０００１】
本発明は、ポンプディスペンサを用いて容器内の液体を注出する液体注出容器に関する。
【背景技術】
【０００２】
シャンプー、リンス、洗剤等の格納された容器にポンプディスペンサを付し、容器内の液体を注出するタイプの容器が知られている。また、特許文献１に開示されたように、容器を取替えてポンプディスペンサを再利用することも行われていた。（以下、取替え可能な容器を「詰替容器」と呼ぶ。）
【０００３】
ポンプディスペンサは、容器の底部から液体を注出するためのチューブを備えていた。このため、容器を取替えてポンプディスペンサを再利用するには、以下の問題があった。容器を取替える際に、チューブに取替前の詰替容器内の液体が付着している。これが、衣類、手等に付着してしまう、或いは床等に飛散してしまう、取替後の詰替容器内の液体と混合してしまい液体の品質が劣化してしまう、という問題をきたしていた。
【先行技術文献】
【特許文献】
【０００４】
【特許文献１】特開２０１２−０６６８４９号公報
【発明の概要】
【発明が解決しようとする課題】
【０００５】
本発明は、ポンプディスペンサにチューブを備えることなく容器内の液体を注出することのできる液体注出容器を提供することを課題とする。
【課題を解決するための手段】
【０００６】
ポンプディスペンサにチューブを備えなくても、詰替容器の構造によって液体をポンプディスペンサに送出できる。かかる送出を可能とするポンプディスペンサと詰替容器の組み合わせを提供する。ポンプディスペンサと詰替容器との間から詰替容器内に、又は詰替容器に設けられたチューブに、空気が流入することを防止して、ポンプディスペンサによる負圧を詰替容器内の液体に伝える。
【０００７】
本発明の液体注出容器は、
ポンプディスペンサと詰替容器とを備える液体注出容器であって、
前記ポンプディスペンサは、挿入突起を備え、前記詰替容器に挿入されるチューブを有さず、
前記詰替容器は、前記挿入突起が挿入される挿入口を備え、
前記挿入突起と前記挿入口との間を空気が流通しないようにする密着機構を備えることを特徴とする。
【０００８】
ポンプディスペンサがチューブを有していないことと、挿入突起と挿入口との間を空気が流通しないようにすることで、課題を解決する。ポンプディスペンサがチューブを有していなくても、密着機構によって空気が流通しないので、負圧が詰替容器内に伝えられる。
【０００９】
本発明の液体注出容器は、
前記詰替容器は、前記挿入口に連通するチューブを有することを特徴とする。
【００１０】
チューブを（ポンプディスペンサでなく）詰替容器に設けることで、従来の液体注出容器と同様の機構となる。この場合、チューブ又は前記挿入突起に設けられた密着機構により、詰替容器のチューブに負圧を伝えることができる。
【００１１】
本発明の液体注出容器は、
前記詰替容器は、体積可変であり、液体注出時に空気が流入しないことを特徴とする。
【００１２】
詰替容器にチューブを設けなくとも、体積可変であれば、ポンプディスペンサの負圧によって詰替容器内の（詰替容器上部の）液体が吸引される。
【００１３】
本発明の液体注出容器は、
前記挿入突起は、尖状部と、周縁のネジ止め外側部を、それぞれ備え、
前記挿入口は、易破断部を有する被覆体と、周縁のネジ止め内側部を、それぞれ備え、
前記挿入突起の尖状部を前記挿入口の易破断部に挿入した後に、前記ネジ止め外側部と前記ネジ止め内側部と係合させて前記ポンプディスペンサを前記詰替容器に固定可能であり、
前記密着機構は、前記ネジ止め内側部又は前記挿入突起の外側又は前記挿入突起の外側に付されたパッキンであり、
前記詰替容器は、前記易破断部が破断しない状態では密封されていることを特徴とする。
【００１４】
詰替容器が、使用前には密封されており、内部の液体が劣化せずに保存される。開封とポンプディスペンサの取り付けを同時に行うことができ、詰め替え作業が容易になると共に、開封と取り付けの間の誤作業による液漏れが少なくなる。使用時においては、ネジ止め機構とパッキンにより、気密性を保ちつつポンプディスペンサの負圧を伝える。
なお、易破断部は、１箇所に限られず、尖状部の存在し得る箇所全体（挿入口の全面を含む）に設けることもできる。
【００１５】
本発明の液体注出容器は、
前記尖状部が前記挿入突起の中央部に備えられ、
前記易破断部が前記挿入口の中央部に備えられたことを特徴とする。
【００１６】
尖状部及び易破断部を中央に備えることで、尖状部と易破断部の係合が確実になる。
【００１７】
本発明の液体注出容器は、
前記パッキンが前記ネジ止め内側部の内側又は前記挿入突起の外側に付され、
前記挿入突起の尖状部が前記挿入口の易破断部に挿入される前に、前記パッキンが前記尖状部と前記ネジ止め内側部との間の空気の流通を遮断することを特徴とする。
【００１８】
チューブを用いない場合には、詰替容器を取替える手順の中で詰替容器に空気が流入しないことが必要である。易破断部が破断されるよりも前に密着機構を作用させる。
【発明の効果】
【００１９】
本発明の液体注出容器は、ポンプディスペンサにチューブを備えていないので、詰替時に液体の容器外への飛散が少なく、取替前と取替後の液体の混合が少ない。
【図面の簡単な説明】
【００２０】
【図１】図１は、液体注出容器を示す図である。（実施例１）
【図２】図２は、ポンプディスペンサと詰替容器の関係を説明するための図である。（実施例１）
【図３】図３は、尖状部のバリエーションを示す図である。（実施例１）
【図４】図４は、液体注出容器を示す図である。（実施例２）
【図５】図５は、ポンプディスペンサと詰替容器の関係を説明するための図である。（実施例２）
【図６】図６は、清掃用具を示す図である。（実施例３）
【発明を実施するための形態】
【００２１】
以下、詰替容器がチューブを備える実施例１、詰替容器がチューブを備えない実施例２、清掃用具を示す実施例３を説明する。
【実施例１】
【００２２】
図１は、液体注出容器を示す図である。（Ａ）に示すとおり、液体抽出容器１は、ポンプディスペンサ２と詰替容器３から構成される。ここで、チューブ３５は、ポンプディスペンサ２でなく詰替容器３に付されている。
【００２３】
（Ｂ）に、ポンプディスペンサ２と詰替容器３とを分離して示す。ポンプディスペンサ２は、尖状部２１、ネジ止め外側部２２及びパッキン３４ａを備えている。詰替容器３は、被覆体３１、ネジ止め内側部３３、パッキン３４及びチューブ３５を備えている。なおパッキン３４は、ポンプディスペンサ２に備えられていてもよい。
【００２４】
チューブ３５は、ネジ止め内側部３３の内管に連通している。ポンプディスペンサ２からの負圧が伝達される。
【００２５】
図２は、ポンプディスペンサと詰替容器の関係を説明するための図である。図は、液体注出容器１の中心における垂直断面を示したものである。
【００２６】
（Ａ）に、ポンプディスペンサ２と詰替容器３とを分離して、使用前の状態を示す。詰替容器３の挿入口は被覆体３１で覆われている。内部の液体が空気に触れることなく保存される。被覆体３１は、下部に切り込みがあり、切り込みの箇所が易破断部３２である。
【００２７】
（Ａ）の状態から、ネジ止め外側部２２をネジ止め内側部２３に螺入することにより使用が開始される。具体的には、尖状部２１が易破断部３２を貫通して（Ｂ）に示す状態となる。深く螺入することで、パッキン３４がポンプディスペンサ２の挿入突起（尖状部２１、それに連接する筒）と詰替容器の挿入口（円筒状の筒）との間に押接され、空気の流通を阻止する。ポンプディスペンサ２の負圧が、挿入口を介して、チューブ３５に伝達される。
【００２８】
なお、ポンプディスペンサ２には、空気孔３６が備えられている。従来技術のポンプディスペンサにも備えられていたものであり、液体抽出時に空気を詰替容器に送り詰替容器内の圧力を一定に保つためのものである。空気は、ポンプディスペンサ２と破断した被覆体３１との間から他の空気孔３６ａを通って詰替容器に送られる。また、パッキン３４ａによって、空気孔を通っての液体の漏れが防止される。
【００２９】
図３は、尖状部のバリエーションを示す図である。図１及び図２においては、（Ａ）に示すように尖状の先端の通気孔を有するものを描いた。しかし、尖状部の形状はこれに限られるものではなく、各種形状が可能である。
【００３０】
（Ｂ）に示すように放射状に棒状部を設けた形状、（Ｃ）に示すように楕円形の孔を設けた形状、（Ｄ）に示すように円筒を斜めに切断した形状、その他各種の形状が可能である。
【実施例２】
【００３１】
図４は、液体注出容器を示す図である。実施例１との相違は、詰替容器３にチューブが付されていない点、詰替容器３が体積可変で液体を注出しても空気が流入しない（いわゆるパウチである）点、及びパッキン３４の位置（図５を用いて後述）である。
なお、体積可変の詰替容器３は自立しない場合もあるため、保持具４によって保持している。保持具４にはクリップ４１が設けられており、ポンプディスペンサを螺入する際の詰替容器３の回転を止めている。
【００３２】
詰替容器３が体積可変であるので、ポンプディスペンサの負圧によって詰替容器３の上部の液体を注出し、その後も詰替容器３の上部に液体が存在する。すなわち、チューブを用いて詰替容器３の底部から液体を注出することは必要ない。
【００３３】
本実施例においては、実施例１に加えて留意すべきことがある。詰替容器３を交換する際に、詰替容器３の上部に空気を流入させないことである。空気が流入してしまうとポンプディスペンサの負圧による液体の注出が不能又は困難となってしまうためである。
【００３４】
詰替容器３を交換する際に空気を流入させない構造を説明する。図５は、ポンプディスペンサと詰替容器の関係を説明するための図である。（Ａ）に示すとおり、パッキン３４がネジ止め内側部３３の内周に設けられている。
【００３５】
使用するために挿入突起を挿入口に挿入すると、（Ｂ）の状態になる。尖状部２１によって被覆体３１が破断される前に、挿入突起の管にパッキン３４が圧着されてパッキン３４の上下の空気の流通がなくなる。
【００３６】
この状態で、尖状部２１を貫通させて被覆体３１を破断しても、詰替容器３の中に空気はほとんど流入しない。パッキン３４と被覆体３１との間にあった分だけの空気が流入し得るが、微量であり液体の注出が可能である。挿入突起の先端の尖状部２１は、流入した空気を越えて液体に接する。ポンプディスペンサ２の負圧によって液体を注出することができる。
【実施例３】
【００３７】
本発明の液体注出容器は、ポンプディスペンサにチューブが付されていないので、ポンプディスペンサの清掃が容易である。以下、清掃の例を示す。本実施例は清掃についてのものであり、液体注出容器自体は実施例１又は２と同様である。
【００３８】
図６は、清掃用具を示す図である。清掃用の水を入れた清掃用具５をポンプディスペンサ２の下側に取り付けることができる。（Ａ）に取付前の状態を、（Ｂ）に取付時の状態を示す。ポンプディスペンサ２の操作により水がポンプディスペンサ２の内部を清掃する。チューブがないので、清掃用具は小型のものでよい。清掃用具５の外周に蛇腹形状を設ける等によって清掃用具５の大きさを可変（内部の水量に応じた大きさとする）にし、清掃用具５内の水が減少しても、（Ｃ）のように水面がポンプディスペンサ２に到達している状態を保つことが好ましい。
【産業上の利用可能性】
【００３９】
ポンプディスペンサにチューブを備えることなく容器内の液体を注出することのできる液体注出容器であり、チューブに起因する詰替時の問題がないものである。多くの液体製品生産者による利用が期待される。
【符号の説明】
【００４０】
１    液体注出容器
２    ポンプディスペンサ
２１  尖状部
２２  ネジ止め外側部
３    詰替容器
３１  被覆体
３２  易破断部
３３  ネジ止め内側部
３４（３４ａ）  パッキン
３５  チューブ
３６（３６ａ）  空気孔
４    保持具
４１  クリップ
５    清掃用具
【図１】
2015212168.tif 000003
【図２】
2015212168.tif 000004
【図３】
2015212168.tif 000005
【図４】
2015212168.tif 000006
【図５】
2015212168.tif 000007
【図６】
2015212168.tif 000008